(57)【特許請求の範囲】
【請求項１】
多地点協調通信プロセスをトリガして起動するステップS1と、
ユーザー設備UEの存在するサービングセルが所属する発展型基地局eNodeBは、測定セルセットを構成し、構成された測定セルセットをUEに送信し、同時にUEは、前記測定セルセットにおける全てのセルのチャネル状態情報を測定するステップS2と、
UEは、サービングセルが所属するeNodeBへ測定結果をフィードバックするステップS3と、
UEの存在するサービングセルが所属するeNodeBは、UEの候補協調セルセットCCSを確認するステップS4と、
UEの存在するサービングセルが所属するeNodeBは、他のeNodeBへCCS確立要求を送信し、前記他のeNodeBは、候補CCSにおける、前記サービングセルと異なるeNodeBに属する協調セルが所属するeNodeBであるステップS5と、
CCS確立要求を受信した協調セルが所属するeNodeBは、UEの存在するサービングセルが所属するeNodeBへ前記CCS確立要求に応答し、UEの存在するサービングセルが所属するeNodeBへCCS確立応答情報を送信するステップS6と、
UEの存在するサービングセルが所属するeNodeBは、前記CCS確立応答情報に基づいてUEのCCSを確定するステップS7と、
選択された多地点協調通信モードによって、UEのCCSにおける全てのセルは、当該CCSが所属するUEのデータ情報及びサービス搬送情報を共有するステップS8と、を含むこと、を特徴とする多地点協調通信における協調セルセット確立方法。
【請求項２】
前記多地点協調通信は、UEを中心とするものであり、協調セルセットもUEを中心とするものであり、各UEは、1つの協調セルセットに対応し、UEのサービングセルは、当該UEに対応するCCSに含まれる、ことを特徴とする請求項１に記載の方法。
【請求項３】
前記多地点協調通信プロセスのトリガ及び起動は、UE又はネットワーク側によって実行される、ことを特徴とする請求項１に記載の方法。
【請求項４】
ステップS1において前記多地点協調通信プロセスのトリガと起動がUEによって実行されるステップは、UEが自身の業務需要と現在のチャネル状態によってネットワーク側へ多地点協調通信プロセスの起動要求を送信し、そして、ネットワーク側よりシステムの現在の状態及びユーザー関連情報に基づいてユーザーのために多地点協調通信プロセスを起動するかどうかを決定し、多地点協調通信プロセスのトリガと起動がネットワーク側によって実行される前記ステップは、ネットワーク側がUEの業務要求及び現在のシステム状態によって起動するかどうかを決定し、起動を確認した時に多地点協調通信プロセスを起動するプロセスを実行する、ことを特徴とする請求項３に記載の方法。
【請求項５】
ステップS4においてUEの存在するサービングセルが所属するeNodeBは、UEからフィードバックされた測定結果によってUEの候補CCSを選択し、具体的な方法は、遅延差に基づく方法、受信基準信号のRSRP強度に基づく方法、チャネル状態情報CSIに基づく方法、及びチャネル品質情報CQIに基づく方法のうちの1つ又は複数である、ことを特徴とする請求項１に記載の方法。
【請求項６】
ステップS5においてUEの存在するサービングセルが所属するeNodeBから送信されたCCS確立要求の形式は、LTE  X2インターフェイスの制御プレーンのX2アプリケーションプロトコル情報である、ことを特徴とする請求項１に記載の方法。
【請求項７】
CCS確立要求には、
UEの存在するサービングセル識別子、ターゲットセル識別子、UE識別子情報；UEの業務搬送情報；前記候補CCSにおけるセルが所属するeNodeBがCCS確立応答情報を送信する送信周期；UEの存在するサービングセルが所属するeNodeBが、確認された候補CCSにいける、サービングセルと異なるeNodeBに所属する協調セルが所属するeNodeBへ協調セルの現在のリソース状態の関連情報を報告するように要求することに用いられるリソース状態報告要求；及び、多地点協調通信モード情報、のうちの1つ又は複数が含まれる、ことを特徴とする請求項６に記載の方法。
【請求項８】
前記ステップS6においてCCS確立要求を受信した協調セルが所属するeNodeBは、UEの存在するサービングセルが所属するeNodeBへ前記CCS確立要求に応答するステップは、具体的には、
S61：協調セルが所属するeNodeBが、CCS確立要求を受信した後、CCS確立要求において識別されたセルの負荷とリソースの使用状況及びCCS確立要求において提供されたUE業務搬送情報に基づいてCCS確立要求に同意するかどうかを判定し、
S62：協調セルが所属するeNodeBが、サービングセルが所属するeNodeBへCCS確立応答情報を送信し、CCS確立要求に同意すると、同意識別子を送信し、UEのデータ情報の受信を用意し、拒絶すると、拒絶識別子を送信し、
S63：CCS確立要求にリソース状態報告要求の情報が含まれ且つ協調セルが所属するeNodeBが当該CCS確立要求に同意すると、リソース状態報告情報を送信する、ことを特徴とする請求項1に記載の方法。
【請求項９】
ステップS7においてUEの存在するサービングセルが所属するeNodeBは、候補協調セルが所属するeNodeBからのCCS確立応答情報を受信した後、UEの存在するサービングセル及びCCS確立要求に対し同意識別子を送信した協調セルを受信するセルをCCSに組み入れることによって、最終的にUEのCCSを確定し、候補CCSにおける全ての協調セルがいずれもCCS確立要求を拒絶すると、ステップS1に戻って再び選択を行う、ことを特徴とする請求項１に記載の方法。
【請求項１０】
ステップS8においてCCSが確定された後に、CCSにおける全てのセルは、CCSが所属するUEのデータ情報を共有し、データ情報の共有方式が、UEの存在するサービングセルが所属するeNodeBにより、LTE  X2インターフェイスのユーザープレーンを介してUEのデータ情報をCCSにおける各協調セルに送信し、又は、コアネットワークにより、LTE  S1インターフェイスのユーザープレーンを介してUEのデータ情報をCCSにおける各協調セルに直接割り当てることであることを特徴とする請求項１〜９のいずれかの一つに記載の方法。
【発明の詳細な説明】
【技術分野】
【０００１】
本発明は、無線通信ネットワーク技術分野に関し、特に多地点協調通信における協調セルセット確立方法に関する。
【背景技術】
【０００２】
高レート、高品質、多様化の移動通信業務に対する需要が次々に増加するにつれ、次世代移動通信システムの標準化作業がすでに開始している。広く知られている4G移動通信システムの標準−−3GPP  LTE-Advanced移動通信システムとしては、ピークレート、周波数スペクトル効率、システムスループット、セルエッジパフォーマンスに対する要求がより高くなる。
【０００３】
多地点協調伝送（Coordinated  Multi-points  Transmission/Reception、CoMP）技術は、3GPP  LTE-Advanced移動通信システムの主要な研究方向の一つとして、ユーザー体験のレベルの向上、セル間の干渉の低減、セルエッジパフォーマンスの増強、システムスループット全体の向上の重要な技術の一つであり、即ち複数の地理位置が互いに独立して分散している伝送点は、様々な協調方式（例えば共同伝送、共同処理、協調スケジューリングなど）によってサービスを提供する。その中、複数の伝送点は、完全式リソース管理モジュール、ベースバンド処理モジュール及びRF(Radio  Frequency)ユニットを有する基地局；又は、地理位置が異なる複数のRFユニット及びアンテナ（例えば分布式アンテナ）；又は、中継ノードであってもよい。各協調セル間でUEのデータ情報を共有するかどうかによって、多地点協調通信技術は、共同処理（Joint  Processing、JP）と協調スケジューリング/ビームフォーミング（Coordinated  Scheduling/Beamforming、CS/CB）の2種類に分けられる。
【０００４】
共同処理は、異なるセル基地局アンテナからユーザーまでの空間ダイバーシティによってセルエッジユーザーのパフォーマンスを向上させ、さらに共同伝送とダイナミックセル選択の2種類に分けられる。その中、共同伝送とは、複数のセルが同じ時間周波数リソースを利用してユーザーへユーザーのデータ情報を搬送する物理下りリング共有チャネル（PDSCH）を送信することを指し、ダイナミックセル選択(瞬時のセル選択)とは、同じ時刻にUEがダイナミックにセルを選択してそれにPDSCHを送信することを指す。協調スケジューリング/ビームフォーミングは、異なるセル間の情報インタラクティブ（情報のやり取り）を利用して、リソース（時間、周波数、空間など）に対するスケジューリング（ビームフォーミングベクトルのスケジューリングを含む）により、セル間の干渉（Inter-cell  Interference）を低減し、これにより、セルエッジのパフォーマンスを改善し、システムスループットを高める。CoMPネットワークアーキテクチャーでは、サービングセル（Serving  Cell）、協調セルセット（CoMP  Cooperating  Set、CCS）及び伝送点セット（CoMP  Transmission  Points、CTP）の3つの基本的な概念が定義される。サービングセルとはUEへPDCCHを送信するセルを指し、協調セルセットとは、UEに対するPDSCHの伝送に直接又は間接的に関与するセルセットを指し、伝送点セットとは、UEに対するPDSCHの伝送を直接行うセルセットである。図1aに示すように、伝送点セットは、協調セルセットに含まれ、即ちCTP⊆CCS（CTPがCCSに含まれる）である。図1bに示すように、共同伝送に関して、伝送点セットは、サービングセルと、データ伝送を提供する1つ又は複数の協調セルとから構成され、ダイナミックセル選択に関して、伝送点セットは、一つだけのセルを含み、協調スケジューリング/ビームフォーミングに関して、伝送点セットは、サービングセルだけを含む。また、LTE-Advancedは、LTE  Rel.8の測定セルセット（Measurement  Set）の概念をそのまま用い、測定セルセットは、3GPP  RAN1によって定義される。
【０００５】
協調セルセットの順調な確立は、多地点協調通信の実施のキーポイントの一つである。UEのために多地点協調通信を提供するために、まずUEのために協調セルセットCCSを選択して確立する必要がある。協調セルセットの確立過程において、セル、eNodeB及びUE間の情報インタラクティブを要し、これら情報には、様々な制御シグナリング、チャネル状態情報（Channel  State  Indicator、CSI）、ユーザーデータ情報などが含まれる。大量の情報インタラクティブの要求は、多地点協調ネットワークの協調セルセットの確立過程における遅延、複雑度及びシステムのオーバーヘッドに対して極めて大きい挑戦をもたらす。したがって、どのように合理的な協調セルセットの確立流れを制定し、セル、eNodeB及びUE間の情報インタラクティブの形式、内容及び順序を確定することによって、協調通信の順調な実行を確保するとともに、遅延を減らしてシステムのオーバーヘッドを低減するかは、現在の多地点協調通信技術において解決しようとする問題となる。
【発明の概要】
【発明が解決しようとする課題】
【０００６】
本発明が解決しようとする技術的課題は、多地点協調通信における協調セルセット（CCS）の確立方法を提供し、多地点協調共同伝送を保証するとともに、情報インタラクティブの遅延を減らして通信システムのオーバーヘッドと複雑度を低減することにある。
【課題を解決するための手段】
【０００７】
上述の課題を解決するために、多地点協調通信における協調セルセット確立方法が提供される。かかる方法は、多地点協調通信過程をトリガして起動するステップS1；ユーザー設備UEの存在するサービングセルが所属する発展型基地局eNodeBは、測定セルセットを構成し、構成された測定セルセットをUEに送信し、同時にUEは、前記測定セルセットにおける全てのセルのチャネル状態情報を測定するステップS2；UEは、サービングセルが所属するeNodeBへ測定結果をフィードバックするステップS3；UEの存在するサービングセルが所属するeNodeBは、UEの候補協調セルセットCCSを確認するステップS4；UEの存在するサービングセルが所属するeNodeBは、他のeNodeBへCCS確立要求を送信し、前記他のeNodeBは、候補CCSにおける、前記サービングセルと異なるeNodeBに属する協調セルが所属するeNodeBであるステップS5；CCS確立要求を受信した協調セルが所属するeNodeBは、UEの存在するサービングセルが所属するeNodeBへ前記CCS確立要求に応答し、UEの存在するサービングセルが所属するeNodeBへCCS確立応答情報を送信するステップS6；UEの存在するサービングセルが所属するeNodeBは、前記CCS確立応答情報に基づいてUEのCCSを確定するステップS7；及び、選択された多地点協調通信モードによって、UEのCCSにおける全てのセルは、当該CCSが所属するUEのデータ情報及びサービス搬送情報を共有するステップS8、を含む。
【０００８】
その中、前記多地点協調通信は、UEを中心とするものであり、協調セルセットもUEを中心とするものであり、各UEは、1つの協調セルセットに対応し、UEのサービングセルは、当該UEに対応するCCSに含まれる。
【０００９】
その中、前記多地点協調通信過程のトリガ及び起動は、UE又はネットワーク側によって実行される。
【００１０】
その中、ステップS1において前記多地点協調通信過程のトリガと起動がUEによって実行されるステップは、UEが自身の業務需要と現在のチャネル状態によってネットワーク側へ多地点協調通信過程の起動要求を送信し、そして、ネットワーク側よりシステムの現在の状態及びユーザー関連情報に基づいてユーザーのために多地点協調通信過程を起動するかどうかを決定し、多地点協調通信過程のトリガと起動がネットワーク側によって実行される前記ステップは、ネットワーク側がUEの業務要求及び現在のシステム状態によって起動するかどうかを決定し、起動を確認した時に多地点協調通信過程を起動する過程を実行する。
【００１１】
その中、ステップS4においてUEの存在するサービングセルが所属するeNodeBは、UEからフィードバックされた測定結果によってUEの候補CCSを選択し、具体的な方法は、遅延差に基づく方法、受信基準信号のRSRP強度に基づく方法、チャネル状態情報CSIに基づく方法、及びチャネル品質情報CQIに基づく方法のうちの1つ又は複数である。
【００１２】
その中、ステップS5においてUEの存在するサービングセルが所属するeNodeBから送信されたCCS確立要求の形式は、LTE  X2インターフェイスの制御プレーンのX2アプリケーションプロトコル情報である。
【００１３】
その中、CCS確立要求には、UEの存在するサービングセル識別子、ターゲットセル識別子、UE識別子情報；UEの業務搬送情報；前記候補CCSにおけるセルが所属するeNodeBがCCS確立応答情報を送信する送信周期；UEの存在するサービングセルが所属するeNodeBが、確認された候補CCSにいける、サービングセルと異なるeNodeBに所属する協調セルが所属するeNodeBへ協調セルの現在のリソース状態の関連情報を報告するように要求することに用いられるリソース状態報告要求；及び、多地点協調通信モード情報、のうちの1つ又は複数が含まれる。
【００１４】
その中、前記ステップS6においてCCS確立要求を受信した協調セルが所属するeNodeBは、UEの存在するサービングセルが所属するeNodeBへ前記CCS確立要求に応答するステップは、具体的には、S61：協調セルが所属するeNodeBが、CCS確立要求を受信した後、CCS確立要求において識別されたセルの負荷とリソースの使用状況及びCCS確立要求において提供されたUE業務搬送情報に基づいてCCS確立要求に同意するかどうかを判定し；S62：協調セルが所属するeNodeBが、サービングセルが所属するeNodeBへCCS確立応答情報を送信し、CCS確立要求に同意すると、同意識別子を送信し、UEのデータ情報の受信を用意し、拒絶すると、拒絶識別子を送信し；及び、S63：CCS確立要求にリソース状態報告要求の情報が含まれ且つ協調セルが所属するeNodeBが当該CCS確立要求に同意すると、リソース状態報告情報を送信する。
【００１５】
その中、ステップS7においてUEの存在するサービングセルが所属するeNodeBは、候補協調セルが所属するeNodeBからのCCS確立応答情報を受信した後、UEの存在するサービングセル及びCCS確立要求を受信するセルをCCSに組み入れることによって、最終的にUEのCCSを確定し、候補CCSにおける全ての協調セルがいずれもCCS確立要求を拒絶すると、ステップS1に戻って再び選択を行う。
【００１６】
その中、ステップS8においてCCSが確定された後に、CCSにおける全てのセルは、CCSが所属するUEのデータ情報を共有し、データ情報の共有方式が、UEの存在するセルが所属するeNodeBにより、LTE  X2インターフェイスのユーザープレーンを介してUEのデータ情報をCCSにおける各協調セルに送信し、又は、コアネットワークにより、LTE  S1インターフェイスのユーザープレーンを介してUEのデータ情報をCCSにおける各協調セルに直接割り当てることである。
【発明の効果】
【００１７】
本発明に係る多地点協調通信における共同処理場面での協調セルセットの確立方法において、協調セルセット選択及び確立の流れ・ステップを明確化し、協調セルセット確立時のユーザー側とネットワーク側に必要な情報インタラクティブの内容及び形式を詳しく示し、多地点協調共同伝送を保証するとともに、情報インタラクティブの遅延を減らして通信システムのオーバーヘッドと複雑度を低減することができる。
【図面の簡単な説明】
【００１８】
【図１ａ】CCSの場面（シーン）を示す図である。
【図１ｂ】CTPの場面を示す図である。
【図２】本発明に係るCCS確立方法のフローチャートである。
【図３】本発明の実施例一におけるCCS確立及び情報インタラクティブの時系列図である。
【図４】本発明の実施例二におけるCCS確立及び情報インタラクティブの時系列図である。
【図５】本発明の実施例三におけるCCS確立及び情報インタラクティブの時系列図である。
【図６】本発明の実施例四におけるCCS確立及び情報インタラクティブの時系列図である。
【発明を実施するための形態】
【００１９】
以下、図面及び具体的な実施形態を参照して、本発明をさらに説明する。
【００２０】
本発明は、多地点協調通信（特に下りリング多地点協調通信）システムにおけるJPの場面での協調セルセット（CCS）の確立方法を提供する。図2に示すように、前記方法は、以下のステップを含む。
【００２１】
S1：多地点協調通信過程（プロセス）をトリガして起動する。
【００２２】
S2：ユーザー設備（UE）の存在するサービングセルが所属するeNodeB（evolved  Node  B、発展型基地局）に測定セルセットを配置し、配置された測定セルセットをUEに送信し、同時にUEが測定セルセットにおける全てのセルのチャネル状態情報を測定して、測定情報を取得する。
【００２３】
S3：UEは、サービングセルが所属するeNodeBへ測定結果をフィードバックする。
【００２４】
S4：UEの存在するサービングセルが所属するeNodeBは、UEの候補CCSを確認する。
【００２５】
S5：UEの存在するサービングセルが所属するeNodeBは、LTE  X2インターフェイスにより他のeNodeBへCCS確立要求を送信する。前記他のeNodeBは、候補CCSにおける、前記サービングセルが所属するeNodeBと異なるeNodeBの協調セルが所属するeNodeBである。その中、LTE  X2インターフェイスは、3GPPに定義されるeNodeB間のインターフェイスである。
【００２６】
S6：CCS確立要求を受信した協調セルが所属するeNodeBは、UEの存在するサービングセルが所属するeNodeBへ前記CCS確立要求に応答し、UEの存在するサービングセルが所属するeNodeBにCCS確立応答情報を送信する。
【００２７】
S7：UEの存在するサービングセルが所属するeNodeBは、前記CCS確立応答情報に基づいてUEのCCSを確定する。
【００２８】
S8：選択した多地点協調通信モードによって、確定されたUEのCCSにおける全てのセルは、当該CCSが所属するUEのデータ情報及び業務搬送情報を共有する。その中、データ情報とは、ユーザーに送信する必要があるデータを指す。
【００２９】
上述した方法において、多地点協調通信は、ユーザーに対するものであり、即ちUEを中心とする（UE-specific）多地点協調通信であるため、CCSもUEを中心とするものであり、即ち各UEが1つのCCSに対応し、異なるUEのCCSに含まれるセルは、同じであればよいし、同じではなければよい。UEの存在するサービングセルは、当該UEに対応するCCSに含まれる。
【００３０】
ここで、ステップS1において多地点協調通信過程のトリガ及び起動は、ユーザーを中心とし、具体的には、UEより自身の業務需要と現在のチャネル状態によってネットワーク側へ多地点協調通信過程の起動要求（リクエスト）を送信し、そして、ネットワーク側より多地点協調通信過程の起動要求を出し、ネットワーク側よりシステムの現在の状態及びユーザー関連情報によって当該ユーザーのために多地点協調通信過程を起動するかどうかを決定することができればよいし、ネットワーク側よりUEの業務要求及び現在の通信システム状態によって直接起動するかどうかを決定し、起動決定時に多地点協調通信過程を起動するステップを実行することもできればよい。その中、ユーザー関連情報には、ユーザーのQoS需要、ユーザー位置、ユーザーチャネル状態、ユーザー移動速度などの情報が含まれても良い。
【００３１】
ここで、ステップS2においてUEが測定セルにおける全てのセルのチャネル状態情報を測定するメカニズムは、従来のLTE  Rel.8における測定メカニズムと同じである。
【００３２】
ここで、ステップS3において、フィードバックされた測定結果は、測定セルセットにおける全てのセルに関するUEの測定結果であっても良いし、測定セルセットにおける部分（一部）のセルに関するUEの測定結果であっても良く、即ちUEが測定セルセットにおける部分のセルの測定結果を選択的にフィードバックしてもよい。具体的には、フィードバックされた測定結果には、各測定セルの識別子（ID）、各測定セルからUEへの伝播（伝送）遅延、各測定セルのRSRP（パイロット信号受信パワー）強度、UEと各測定セルとの間のチャネル状態情報（CSI）、及びUEと各測定セルとの間のチャネル品質情報（Channel  Quality  Indicator、CQI）のうちの1つ又は複数の組合せが含まれてもよいし、その他の測定情報であってもよい又はそれが含まれてもよい。
【００３３】
ここで、ステップS4においてUEの存在するサービングセルが所属するeNodeBは、UEからフィードバックされた情報に基づいてUEの候補CCSを選択することができる。遅延差に基づいて選択することができ、例えば前記UEとサービングセルから前記UEまでの伝播遅延差が所定の閾値より小さい幾つかのセルを選択し、又はRSRP強度に基づいて選択することができ、例えばRSRP強度の最大又は所定の閾値より大きい幾つかのセルを選択し、又はCSIに基づいて選択することができ、例えばCSIの最も良い幾つかのセルを選択し、又はCQIに基づいて選択することができ、例えばCQIの最も良い幾つかのセルを選択し、又は以上の幾つかの選択標準の組合せであっても良いし、その他の選択標準であってもよく又はそれが含まれてもよい。
【００３４】
ここで、前記ステップS4においてUEの存在するサービングセルが所属するeNodeBは、UEの候補CCSを選択してもよいし、UEより選択されてフィードバックされた候補CCSをeNodeBより確認された候補CCSとして採用してもよい。
【００３５】
ここで、ステップS5においてUEの存在するサービングセルが所属するeNodeBから送信されたCCS確立要求の形式は、LTE  X2インターフェイスの制御プレーンのX2アプリケーションプロトコル情報(X2AP（X2  Application  Protocol）Message）であってよいし、他のシグナリングであってもよい。
【００３６】
前記情報又はシグナルには、UEの存在するサービングセルID、ターゲットセルID及びUE識別子情報が含まれる。当該CCS確立要求には、さらにUE業務搬送情報が含まれてもよく、UE業務搬送情報には、さらにUE業務のタイプ、データレート要求、QoS関連情報、上位層情報などが含まれる。UEの存在するサービングセルが所属するeNodeBが、候補CCSにおけるセルが所属するeNodeBがCCS確立応答情報を送信するように要求する送信周期が含まれてもよく、当該周期は、UEの存在するサービングセルが所属するeNodeBによって配置される。リソース状態報告要求が含まれてもよく、当該要求は、UEの存在するサービングセルが所属するeNodeBが、確認された候補CCSにおけるサービングセルと異なるeNodeBに属する協調セルが所属するeNodeBへ、それ（サービングセルと異なるeNodeBに属する協調セルが所属するeのNodeB）が協調セルの現在のリソース状態の関連情報を報告するように要求することに用いられる。当該リソース状態の関連情報には、さらに協調セルのシステム負荷状況、協調セルリソースの使用の割当状況、協調セルリソースの干渉状況などが含まれる。当該CCS確立要求には、多地点協調通信モード情報が含まれても良く、JPの場面での多地点協調通信モードには、共同伝送及びダイナミックセル選択などが含まれる。
【００３７】
ここで、ステップS6においてCCS確立応答情報の形式は、LTE  X2インターフェイスの制御プレーンのX2アプリケーションプロトコル情報(X2AP（X2  Application  Protocol）Message）であってよいし、他のシグナリングであってもよい。前記情報又はシグナリングには、次の情報、即ち、UEの存在するサービングセルID、ターゲットセルID、多地点協調通信の同意/拒絶（拒否）識別子が含まれてもよいし、同意/拒絶の原因が含まれてもよいし、リソース状態報告情報が含まれてもよく、当該情報には、さらに協調セルのシステム負荷状況、協調セルリソースの使用割当状況、協調セルリソース干渉状況などが含まれてもよい。
【００３８】
ステップS5においてCCS確立要求には、UEの存在するセルが所属するeNodeBによって配置されたCCS確立応答の送信周期が含まれると、ステップS6においてCCS確立要求を受信した協調セルが所属するeNodeBは、上記周期によってCCS確立応答情報を送信する。
【００３９】
前記ステップS6においてCCS確立要求を受信した協調セルが所属するeNodeBが、UEの存在するサービングセルが所属するeNodeBへ前記CCS確立要求に応答するステップは、具体的に次の通りである。
【００４０】
S61：協調セルが所属するeNodeBは、CCS確立要求を受信した後、CCS確立要求において識別されたセルの負荷とリソースの使用状況及びCCS確立要求において提供されたUE業務搬送情報に基づいて、CCS確立要求に同意するかどうかを判定する。
【００４１】
S62：協調セルが所属するeNodeBは、サービングセルが所属するeNodeBへCCS確立応答情報を送信し、その中、CCS確立要求に同意すると、同意識別子を送信してUEのデータ情報の受信を用意し、拒絶すると、拒絶識別子を送信する。
【００４２】
S63：CCS確立要求メッセージにリソース状態報告要求メッセージが含まれ且つ協調セルが所属するeNodeBがCCS確立要求に同意すると、リソース状態報告情報を送信する。
【００４３】
ここで、ステップS7においてUEの存在するサービングセルが所属するeNodeBは、候補協調セルが所属するeNodeBからのCCS確立応答情報を受信した後、UEの存在するサービングセル及びCCS確立要求を受信するセルをCCSに組み入れることで、最終的にUEのCCSを確定する。候補CCSにおける全ての協調セルがいずれもCCS確立要求を拒絶すると、ステップS1に戻って再び選択を行う。
【００４４】
ここで、ステップS8においてCCSが確定されると、CCSにおける全てのセルは、CCSが所属するUEのデータ情報を共有する。その中、データ情報の共有方式は、UEの存在するサービングセルが所属するeNodeBが、LTE  X2インターフェイスのユーザーインタフェースを介してUEのデータ情報をCCSにおける各協調セルに送信することであってよいし、コアネットワークによりLTE  S1インターフェイスのユーザープレーンを介してUEのデータ情報をCCSにおける各協調セルに直接割り当てることであってもよい。その中、LTE  S1インターフェイスは、LETに定義されるものであり、eNodeBとコアネットワークとのインターフェイスを意味する。
【００４５】
ここで、ステップS5において前記CCS確立要求にUEの業務搬送情報が含まれないと、ステップS8においてCCSは、UEのデータ情報を共有するとともに、UEの業務搬送情報を共有する必要もあり、共有方式は、UEの存在するサービングセルが所属するeNodeBによりLTE  X2インターフェイスの制御プレーンを介してCCSにおける各セルに送信することであってよいし、コアネットワークによりLTE  S1インターフェイスの制御プレーンを介してCCSにおける各協調セルに割り当てることであってもよい。
【００４６】
その中、前記ステップS8が完了した後に、CCSの確立が終了し、その後、UEに対する多地点協調データの伝送過程が開始する。多地点協調通信が終了した後に、更にCCS解放（リリース）過程を実行する必要がある。
【００４７】
以下、本発明の方法を例に挙げて説明する。
【００４８】
実施例一：
本発明に係る多地点協調通信におけるJP場面でのCCS確立方法の実施の流れ及び情報インタラクティブの過程は、図3に示すように以下のステップを含む。
【００４９】
301：ネットワーク側は、UEの業務要求及び現在のシステム状態によって多地点協調通信過程を決定して起動する。
【００５０】
302：UEの存在するサービングセルが所属するeNodeBは、測定セルセットを配置（構成）してそれをUEに送信し、同時にUEは、測定セルセットにおける全てのセルのチャネル状態情報を測定する。ここでの測定セルセットの概念及び測定メカニズムは、3GPP  Rel.8と同じである。
【００５１】
303：UEは、サービングセルが所属するeNodeBへ測定結果をフィードバックし、フィードバックされた測定結果に測定セルからUEまでの伝播遅延、測定セルのRSRP強度、測定結果に対応する測定セルIDが含まれてよいし、具体的なチャネル状態情報、例えばCSI、CQIが含まれてもよい。ここでのUEからフィードバックされた測定結果は、全ての測定セルの測定結果であってよいし、UEより選択された部分のセルの測定結果であってもよい。
【００５２】
304：UEの存在するサービングセルが所属するeNodeBは、UEからフィードバックされた測定結果によってUEの候補CCSを選択し、選択過程は以下のステップ3041〜3044を含む。
【００５３】
3041：測定セルiからUEまでの伝播遅延をτiとし、サービングセルからUEまでの伝播遅延をτとし、判定用遅延閾値をτthとする。
【００５４】
3042：測定セルiのUEにおけるRSRP値をRSRPiとし、サービングセルのUEにおけるRSRP値をRSRPとし、判定用RSRP閾値をRSRPthとする。
【００５５】
3043：|τi-τi|≦且つRSRPi≧RSRPthのセルを選択してUEの候補CCSに組み入れる。
【００５６】
3044：遅延閾値τthを判定し、RSRPの閾値RSRPthを判定し、UE業務がシステムの状態によって半静的調整を行うように要求され得る。
【００５７】
305：UEの存在するサービングセルが所属するeNodeBは、LTE  X2インターフェイスの制御プレーンのX2アプリケーションプロトコル情報によりステップ304で確認された候補CCSにおけるサービングセルと異なるeNodeBに属する協調セルが所属するeNodeBへCCS確立要求を送信する。当該情報には、UEの存在するサービングセルID、ターゲットセルID、UEX2AP  ID、UE業務搬送情報、多地点協調通信モード情報及びCCS確立応答情報の送信周期などが含まれる。
【００５８】
306：CCS確立要求を受信した協調セルが所属するeNodeBは、UEの存在するサービングセルが所属するeNodeBへ前記CCS確立要求に応答する。当該ステップは、協調セルが所属するeNodeBが、CCS確立要求を受信した後、CCS確立要求において識別されたセルの負荷とリソースの使用状況及びCCS確立要求において提供されるUE業務搬送情報に基づいて、CCS確立要求に同意するかどうかを判定することを含む。
【００５９】
307：CCS確立要求を受信した協調セルが所属するeNodeBは、ステップ305におけるCCS確立要求中のCCS確立応答情報の送信周期に応じてUEの存在するサービングセルが所属eNodeBへCCS確立応答情報を送信する。当該応答情報には、UEの存在するサービングセルID、ターゲットセルID、多地点協調通信の同意/拒絶識別子が含まれる。その中、応答情報を送信するセルがCCS確立要求に同意すると、同意識別子を送信し、そうではなければ、拒絶識別子を送信し、同時に拒絶の原因に関する情報を送信してもよい。
【００６０】
308：UEの存在するサービングセルが所属するeNodeBは、候補CCSにおける各セルからのCCS確立応答情報を受信し、要求に同意するセルをCCSに組み入れ、最終的にUEのCCSを確定する。候補CCSにおける全てのセルがいずれも要求を拒絶すると、ステップ301に戻って新たに（再び）CCSの選択を行う。
【００６１】
309：UEの存在するサービングセルが所属するeNodeBは、LTE  X2インターフェイスのユーザーインタブレーンを介してCCSにおける全てのセルへユーザーのデータ情報を送信する。協調セルセットの確立が完了する。
【００６２】
実施例二：
図4に示すように、本実施例におけるステップ401〜403が実施例一のステップ301〜303と異なる。
【００６３】
401：UEは、自身の業務需要に応じてネットワーク側へ多地点協調通信の起動要求を出す。
【００６４】
402〜403：ネットワーク側は、UEからの要求を受信した後で、システムの現在の状態及びUEの業務需要によって前記UEに対する多地点協調通信を起動するかどうかを決定し、決定の結果をUEに送信する。ネットワーク側がUEからの要求を拒絶すると、しばらくの時間以降にUEは、新たに要求を出す。
【００６５】
なお、本実施例におけるステップ404〜409が実施例一におけるステップ304〜309と同じである。
【００６６】
実施例三：
実施例三におけるステップ501〜504及びステップ508、509が実施例一のステップ301〜304及びステップ308、309と同じである。ステップ505〜507は、次の通り（図5に示すように）である。
【００６７】
505：UEの存在するサービングセルが所属するeNodeBが、候補CCSにおけるセルが所属するeNodeBへ送信するCCS確立要求メッセージには、ステップ305における前記情報の他、リソース状態報告要求が含まれ、当該要求は、UEの存在するサービングセルが所属するeNodeBが、前記ステップ504で確認された候補CCSにおけるサービングセルと異なるeNodeBに属する協調セルが所属するeNodeBへ、協調セルの現在のリソース状態の関連情報を報告するように要求することに用いられる。当該リソース状態の関連情報には、さらに協調セルのシステム負荷状況、協調セルリソースの使用分割状況、協調セルリソース干渉状況などが含まれる。
【００６８】
506：CCS確立要求を受信した協調セルが所属するeNodeBは、確立要求に同意することを決定した後、前記協調セルのリソース使用状況を統計（取得）する。
【００６９】
507：CCS確立要求を受信した協調セルが所属するeNodeBは、UEの存在するサービングセルが所属するeNodeBへCCS確立応答情報を送信し、前記協調セルが所属するeNodeBがCCS確立要求に同意すると、応答情報には、ステップ307における前記情報の他、リソース状態報告情報が含まれ、前記協調セルが所属するeNodeBがCCS確立要求を拒絶すると、応答情報は、ステップ307における前記情報と同じである。
【００７０】
上記の図3〜5において、Serving  Cellはサービングセルを表し、CCS_ResquestはCCS確立要求を表し、CCS_RsponseはCCS確立応答を表し、X2  C-PlaneはLTE  X2インターフェイスの制御プレーンを表し、CoMP  modeはCoMPモードを表す。
【００７１】
実施例四：
実施例四におけるステップ601〜608が実施例一におけるステップ301〜308と同じである。ステップ609は、次の通りで、図6に示すようなものである。
【００７２】
609：コアネットワークは、LTE  S1インターフェイスのユーザープレーンを介してCCSにおける全てのセルへユーザーのデータ情報を送信する。CCS確立が完了する。
【００７３】
以上の実施形態は、本発明を説明することに用いられるだけであるが、本発明を制限するものではなく、当業者にとっては、本発明の精神と範囲を逸脱しない場合で、様々な変化と変形を実施することができるため、全ての等同技術方案も本発明の範囲に属し、本発明の特許保護範囲が特許請求によって限定されるべきである。
【図１ａ】
0005592567.tif 000002
【図１ｂ】
0005592567.tif 000003
【図２】
0005592567.tif 000004
【図３】
0005592567.tif 000005
【図４】
0005592567.tif 000006
【図５】
0005592567.tif 000007
【図６】
0005592567.tif 000008